(57)【要約】      （修正有）【課題】新聞紙を資源回収等へ出す場合は８つ折にして紐でキッチリ縛らなければならない。しかしこれらの作業は力のいる面倒な作業である。そこでこれらの一連の作業を楽にできるよう新聞紙ボックスと付帯する押さえバーおよび鉤手にその機能を持たせる。【解決手段】新聞紙ボックスの本体２に入っている新聞紙２２を押えバー８で押さえるとストッパーでその状態を保持している。その間に紐通し棒を使って紐２１を新聞紙２２に廻して鉤手１３の刃で切断し、次に紐２１を鉤手棒で捻り上げて縛る。最後に押えバー８の取手を握ると本体２より押えバー８を外すことができることを特徴とする。【選択図】図１
2010260633.tif 000002
【特許請求の範囲】
【請求項１】
新聞紙ボックスに溜まった新聞紙を押えバーのガイドをレールに嵌めて押下すと戻り防止装置のストッパーが効いてその状態を保持する。その状態のときに縛る。縛った後は押さえ棒のグリップを握ると戻り防止装置のストッパーが外れ押さえ棒は新聞ボックスより外れることを特徴とする新聞紙縛りボックス。
【請求項２】
新聞紙ボックス本体の底には紐を通すための溝があり新聞ボックスに新聞紙が入ったままで紐通し棒により紐を通すことができる紐挟みつき伸縮棒を特徴とする鉤手。
【請求項３】
新聞紙に廻した紐を切るため安全カバー付の刃を鉤手棒の中央に設けてあることを特徴とする鉤手。
【請求項４】
紐を鉤手先端の鉤へ挟んでグリップを回していくと紐が捻れて新聞紙が締め付けられていき簡単に縛ることができる紐挟み鉤がついていることを特徴とする鉤手。
【発明の詳細な説明】
【技術分野】
【０００１】  本発明は、一般家庭において読み終えた新聞紙を入れる樹脂製あるいは金属製の新聞ボックスに関する。
【背景技術】
【０００２】  従来の新聞ボックスは収納する為だけで縛る助けになる機能のある物は少なく新聞ボックスに新聞紙を入れる前に予め紐を敷いておくだけ、あるいは縛り台に溝を設けてありその溝に紐を敷いて新聞紙を縛りやすくしただけの台はあった。【０００３】  新聞紙を固く縛るためにそれを押えておいたり圧縮しておいたりするものはなかった。【０００４】  鉤手に安全カバー付きの刃が付いたものあるいは狭い所へ紐を通す機能を持ったものはなかった。【０００５】  なお、本発明に関する公知技術として次の特許文献１及び非特許文献１を挙げることができる。【０００６】
【特許文献１】  特開２００８−３０８５５号、特開平８−１６９４１４号公報
【非特許文献１】  「（文献名）」
【発明が解決しようとする課題】
【０００７】  上述の如く、従来技術に係る新聞ボックスは収納だけの機能で、縛るためには外に紐を敷きその上に新聞紙を揃えながら積み上げて縛るため面倒である。
【０００８】  固く縛るには新聞紙を「押えながら縛る」という同時作業をしなければならないため相応の力が必要で小さい子供や力の弱い女性には困難であった。
【０００９】  縛った紐を切るために鋏かナイフを用意しておかねばならず面倒であった。
【００１０】  本発明はこのような点に鑑みて成されたものであり新聞ボックスに新聞紙押え、紐通し、紐カッター及び紐捻りの機能を持たせることで、力が要らず、容易に、固く縛ることができるようにすることにある。
【課題を解決するための手段】
【００１１】  上述の目的を達成する本発明の新聞紙縛りボックスは新聞紙を入れる本体、新聞紙を上から押え付けておく押えバーおよび縛るための紐を溝に通す、紐を切る、紐を捻って締め上げる等の複数の機能を有した鉤手で構成されていることを特徴とする。
【００１２】  一例として押えバーはボックス内の新聞紙を押えた状態をストッパーで保持をしていて２つの取手を握ると押え板が閉じてストッパーが外れ押えバーを本体から外すことができる。なお保持した状態で紐通し棒で新聞紙に紐を廻し、鉤手棒の刃で切断して鉤で捻り上げて縛る。これを新聞紙の縦と横を行なうことで十字に縛ることができる。
【発明の効果】
【００１３】  新聞ボックス本体に入ったままの新聞紙は鉤手の紐通し棒で紐を掛けることができるので積み直しや持ち上げての紐を掛けが不要となる。
【００１４】  新聞紙を押えた押えバーは手を離してもそのままの状態を保持している。従ってその間に紐を廻して縛ることができるため強い力を必要とせず小さな子供や非力な女性にも固く縛ることができる。
【００１５】  紐は鉤手棒の中央に付いる刃で切ることができるのでナイフや鋏を用意する必要がない。また保護カバーが付いているため安全である。
【００１６】  紐は鉤手で捻っていくと新聞紙をさらに締め上げることができる。また紐は捻られているため容易にしかも緩むことなく縛ることができる。
【発明を実施するための最良の形態】
【００１７】  以下、本発明の実施の形態を図面に基づき詳細に説明する。【００１８】  図１〜図４は本発明の第１の実施の形態に係り、図１は新聞紙縛りボックス全体の外観斜視図、図２は本体、図３は押えバー、図４は鉤手である。【００１９】  図１に示すように新聞紙縛りボックス１は新聞紙２２を入れる本体２と新聞紙２２を押える押えバー８および紐２１を通す、切る、捻って締める等の機能を持った鉤手１３より構成されている。【００２０】  図２は本体２で四方の辺の中央には切り込み３がある。その切り口は押えバー８のガイド１１をスライドさせるためのレール４で、またそこには多数の歯５を縦に形成してある。
底の縦溝６と横溝７は新聞紙２２が入ったままで紐２１を通すためのものである。【００２１】  図３は押えバー８でその両端と内側計４箇所にストッパー１２の付いたガイド１１がある。ガイド１１をレール４に嵌めて新聞紙２２を押下するとストッパー１２が歯５を噛み、戻りを防止する。なお取手９を握ると押え板１０が閉じてストッパー１２が外れるため押えバー８を本体２より外すことができる。【００２２】  図４は鉤手でグリップ１４の前には鉤手棒１７が付いていて紐通し棒１５も内臓してある。紐通し棒１５は伸縮棒で後ろから引き伸ばし先端にある紐挟み１６で紐２１を挟み本体２の底の縦溝６や横溝７に通して新聞紙２２に紐２１を廻す。
一方、鉤手棒１７の先端には鉤１８があり紐２１を挟んでおくことができる。鉤手棒１７はグリップ１４で回すことができこれで紐２１を捻り締め上げることができる。また中間には紐２１を切るための刃１９があり安全カバー２０で覆ってある。
【実施例】
【００２３】  新聞ボックス本体は新聞紙の４つ折が入るサイズとするが入れ易さと縛った新聞紙を出し易くするため上方の開口を大きくする。但しレールは押えバーのガイドがスムーズに動くよう垂直にする。レールと歯の部分は強度と耐磨耗性を持たせる。底の紐通し溝は重ねた新聞紙が垂れ下がらず、しかも紐通し棒と紐が容易に通る十分な広さにする。【００２４】  図３の如く押えバーの押え板にはストッパー付きのガイドが４箇所あり内側の２箇所は長手方向の辺の切り口のレールを、外側の２箇所は短い辺の切り口のレールをスライドさせるものである。２枚の押え板は常時バネで開いていて２つの取手を握ると閉じる機構を有する。【００２５】  紐通し棒はグリップに収納することができるよう伸縮するロッドである。【００２６】  紐通し棒の紐挟みと鉤手棒の鉤は新聞紙を縛るために一般的に用いられる最太の紐が容易に挟める寸法とし、また脱落せずに挟まる角度を持たせる。鉤手棒はグリップで容易に回すことができるようになっている。
鉤手棒にある刃は安全カバーで覆われ小さい子供の指が入らない形状である。
【産業上の利用可能性】
【００２７】  本発明は本屋の本や雑誌の返品、新聞や広告チラシ移送時の束ねに利用できる。
【図面の簡単な説明】
【００２８】
【図１】  本発明の第１の実施の形態に係る新聞紙縛りボックス全体の外観斜視図である。
【図２】  本体の外観斜視図である。
【図３】  押えバーの外観斜視図である。
【図４】  鉤手の外観斜視図である。
【符号の説明】
【００２９】  １  新聞ボックス    ２  本体            ３  切り込み        ４  レール
５  歯              ６  縦溝            ７  横溝            ８  押えバー
９  取手          １０  押え板        １１  ガイド        １２  ストッパー
１３  鉤手          １４  グリップ      １５  紐通し棒      １６  紐挟み
１７  鉤手棒        １８  鉤            １９  刃            ２０  安全カバー
２１  紐            ２２  新聞紙
【図１】
2010260633.tif 000003
【図２】
2010260633.tif 000004
【図３】
2010260633.tif 000005
【図４】
2010260633.tif 000006